(57)【特許請求の範囲】
【請求項１】
記録／再生装置で用いられる情報記録媒体において、
共通情報は所定機能を認識できない記録／再生装置が前記媒体へのアクセスを制御できるように設定され、それぞれ該共通情報を有するアクセス制御データを有する少なくとも１つのアクセス制御データブロックを有するアクセス制御領域、及び
前記少なくとも１つのアクセス制御データブロックに関する状態情報を格納するアクセス制御データ状態情報領域、
を有し、
前記アクセス制御データ状態情報領域内の前記少なくとも１つのアクセス制御データブロックに関する状態情報は、前記情報記録媒体の再初期化時に、該アクセス制御データブロックが別のアクセス制御データを記録するために利用可能であることを示す状態情報を有する、
ことを特徴とする情報記録媒体。
【請求項２】
認識可能な機能に関する共通情報は、
前記認識可能な機能の識別子、前記情報記録媒体のフォーマット可否の情報、前記情報記録媒体に設けられた下位領域についての記録／再生可否の情報、又はこれらの組み合わせ、
を含む、
ことを特徴とする請求項１に記載の情報記録媒体。
【請求項３】
前記フォーマット可否の情報及び前記下位領域についての記録／再生可否の情報は、それぞれフォーマット可能及び記録可能と設定される、
ことを特徴とする請求項２に記載の情報記録媒体。
【請求項４】
前記アクセス制御データが記録された後に、前記アクセス制御領域内に残っている記録されていない領域は、所定の値で満たされる、
ことを特徴とする請求項１に記載の情報記録媒体。
【請求項５】
情報記録媒体に対してデータを転送する記録／再生装置において、
当該情報記録媒体は、
所定機能を認識できない記録／再生装置が前記媒体へのアクセスを制御できるように設定される共通情報を有するアクセス制御データをそれぞれ有する少なくとも１つのアクセス制御データブロックを有するアクセス制御領域、及び
前記少なくとも１つのアクセス制御データブロックに関する状態情報を格納するアクセス制御データ状態情報領域、
を有し、
当該記録／再生装置は、
前記情報記録媒体にデータを記録し又は前記情報記録媒体からデータを再生する記録／再生部と、
前記情報記録媒体の再初期化時に、前記アクセス制御データが別のアクセス制御データを記録するために利用可能であると示す状態情報を前記アクセス制御状態情報領域に記録するように、当該記録／再生部を制御する制御部と、
を含むことを特徴とする記録／再生装置。
【請求項６】
認識可能な機能に関する共通情報は、
当該記録／再生装置の準拠する規格の種類により認識可能であり且つ当該記録／再生装置の準拠しない規格の種類により認識可能である前記所定の機能の識別子、前記情報記録媒体のフォーマット可否の情報、前記情報記録媒体に設けられた下位領域についての記録／再生可否の情報、又はこれらの組み合わせ、
を含む、
ことを特徴とする請求項５に記載の記録／再生装置。
【請求項７】
前記制御部は、
前記フォーマット可否の情報及び前記下位領域についての記録／再生可否の情報を、それぞれフォーマット可能及び記録可能と設定する、
ことを特徴とする請求項６に記載の記録／再生装置。
【請求項８】
前記制御部は、
前記アクセス制御データを記録した後に、前記アクセス制御領域内に残っている記録されていない領域を所定の値で満たすように、前記記録／再生部をさらに制御する、
ことを特徴とする請求項７に記載の記録／再生装置。
【請求項９】
情報記録媒体のデータ記録／再生する記録／再生方法において、
当該情報記録媒体は、
所定機能を認識できない記録／再生装置が前記媒体へのアクセスを制御できるように設定される共通情報を有するアクセス制御データを有するアクセス制御データブロックをそれぞれ有する少なくとも１つのアクセス制御データブロックを有するアクセス制御領域、
を有し、
当該方法は、
前記情報記録媒体の再初期化時に、アクセス制御データブロックが別のアクセス制御データを記録するために利用可能であることを示す状態情報を前記情報記録媒体のアクセス制御データ状態情報領域に記録するステップ、
を含むことを特徴とする記録／再生方法。
【請求項１０】
認識可能な機能に関する共通情報は、
当該記録／再生装置の準拠する規格の種類により認識可能であり且つ当該記録／再生装置の準拠しない規格の種類により認識可能である前記所定の機能の識別子、前記情報記録媒体のフォーマット可否の情報、前記情報記録媒体に設けられた下位領域についての記録／再生可否の情報、又はこれらの組み合わせ、
を含む、
ことを特徴とする請求項９に記載の記録／再生方法。
【請求項１１】
前記媒体の初期化時または再初期化時に、前記フォーマット可否の情報及び前記下位領域についての記録／再生可否の情報は、それぞれフォーマット可能及び記録可能と設定される、
ことを特徴とする請求項１０に記載の記録／再生方法。
【請求項１２】
前記アクセス制御データが記録された後に、前記アクセス制御領域内に残っている記録されていない領域は、所定の値で満たす、
ことを特徴とする請求項９に記載の記録／再生方法。
【請求項１３】
情報記録媒体に対してデータを転送する記録／再生装置において、
当該情報記録媒体は、
所定機能を認識できない記録／再生装置が前記媒体へのアクセスを制御できるように設定される共通情報を有するアクセス制御データをそれぞれ有する少なくとも１つのアクセス制御データブロックを有するアクセス制御領域、及び
前記少なくとも１つのアクセス制御データブロックに関する状態情報を格納するアクセス制御データ状態情報領域、
を有し、
当該記録／再生装置は、
前記情報記録媒体にデータを記録し又は前記情報記録媒体からデータを再生する記録／再生部と、
前記情報記録媒体の再初期化時に、前記アクセス制御データが別のアクセス制御データを記録するために利用可能であると示す状態情報を前記アクセス制御データ状態情報領域から読み出すように前記記録／再生部を制御する制御部と、
を含むことを特徴とする記録／再生装置。
【請求項１４】
情報記録媒体に対してデータを記録／再生する記録／再生方法において、
当該情報記録媒体は、
所定機能を認識できない記録／再生装置が前記情報記録媒体へのアクセスを制御できるように設定される共通情報を有するアクセス制御データをそれぞれ有する少なくとも１つのアクセス制御データブロックを有するアクセス制御領域、及び
前記少なくとも１つのアクセス制御データブロックに関する状態情報を格納するアクセス制御データ状態情報領域、
を有し、
当該方法は、
前記アクセス制御データブロックは別のアクセス制御データを記録するために利用可能であることを示す状態情報を前記情報記録媒体の前記アクセス制御データ状態情報領域から読み出すステップ、
を含むことを特徴とする記録／再生方法。
【発明の詳細な説明】
【技術分野】
【０００１】
本発明は、光ディスク分野に関わり、さらに具体的には、記録／再生互換性が保証されるようにディスクを初期化可能にする情報記録媒体、記録／再生装置及び方法、初期化方法及び再初期化方法に関する。
【背景技術】
【０００２】
最近、光ディスク技術及び半導体技術の発達によって、初期に光ディスクドライブシステム及び光ディスクを含む光システムのための規格が確定された後、新たな機能の追加が頻繁になっており、このような場合に、初期に確定された規格は、アップデートされねばならない。
【０００３】
図１は、従来の技術による問題点を説明するための参考図である。
【０００４】
既存の規格を“ＯＬＤ規格”とし、ＯＬＤ規格に新たな機能が追加されてアップデートされた規格を“ＮＥＷ規格”とした時、ＯＬＤ規格ディスク１２は、ＯＬＤ規格ドライブシステム１１で動作されるように作られ、ＮＥＷ規格ディスク１４は、ＮＥＷ規格ドライブシステム１３で動作されるように作られる。
【０００５】
ＯＬＤ規格とＮＥＷ規格とは、追加された新たな機能のために、記録／再生の互換性を維持することもあり、そうでないこともある。二つの規格が記録／再生の互換性をなすということは、ＯＬＤ規格のドライブシステム１１で使われるＯＬＤ規格ディスク１２が、ＮＥＷ規格のドライブシステム１３でも記録／再生が可能であることを表し、また、ＮＥＷ規格のドライブシステム１３で使われるＮＥＷ規格ディスク１４が、ＯＬＤ規格のドライブシステム１１でも記録／再生が可能であることを表す。
【０００６】
このように、新たな機能の追加によって、ＯＬＤ規格とＮＥＷ規格、二つの規格間の相互記録／再生の互換性を保証するためには、ＯＬＤ規格のドライブシステム１１に新たな機能が適用されたＮＥＷ規格のディスク１４がローディングされた時、ＯＬＤ規格ドライブシステム１１が、その新たな機能に適切に対応する必要性がある。このために、ＯＬＤ規格の制定当時、未来の新たな機能の追加に適切に対応する必要性がある。それだけでなく、このような適切な対応方案は、ＮＥＷ規格で適用可能な一般論でなければならない。その理由は、ＮＥＷ規格に新たな機能を追加してさらに新たな規格にアップデートされた時にも適用可能でなければならないためである。
【０００７】
結局、このように、新たな機能の追加による一連の色々な規格が、相互記録／再生の互換性を有するためには、規格を作る当時に新たな機能の追加に対応せねばならない。このために、現在の規格が既知の機能について、ドライブシステムが動作せねばならない規則と、現在の規格が未知の未来に追加される機能について、現在のドライブシステムが動作せねばならない規則とを定立する必要がある。すなわち、現在の規格に新たな機能が追加されて未来の規格が誕生した時、未来の規格のためのドライブシステムは、現在の規格のためのドライブシステムが、新たな機能について行わなければならない動作をディスク上に記録すれば、これにより、現在の規格のドライブシステムに新たな機能が追加された未来のディスクがローディングされても、そのディスク上に保存された情報を読出して、その新たな機能についての動作を行える。言い換えれば、未来規格のドライブシステムは、現在規格のドライブシステムが未来の規格に追加された新たな機能自体は知らずとも、その新たな機能が適用されたディスクをどのように運用しなければならないかを知らせることができる。
【０００８】
それと同様に、ディスクを初期化または再初期化する場合にも、色々な種類のドライブシステムが、特定のあるディスクに適用された各機能について分からない機能があるとしても、そのディスクを最小限に使用できるように、ディスクを初期化または再初期化する方法が要求される。ここで、初期化とは、空ディスクを使用できるように初期に行われる所定の過程を称し、再初期化とは、ディスクを使用していて、再び初期化するために行われる所定の過程を称す。
【発明の開示】
【発明が解決しようとする課題】
【０００９】
本発明が解決しようとする課題は、規格が異なるドライブシステムでも、ディスクの互換性を向上させるための情報記録媒体、記録／再生装置及び方法、初期化方法及び再初期化方法を提供することである。
【課題を解決するための手段】
【００１０】
前記課題を解決するための本発明の一つの特徴は、情報記録媒体において、前記媒体に適用された所定機能を認識できない記録／再生装置でも、前記媒体へのアクセスを制御できるように設定される共通情報を有するアクセス制御データ（ＡＣＤ）を記録するためのアクセス制御領域（ＡＣＡ）が前記媒体に設けられ、前記媒体の初期化時または再初期化時に、前記記録／再生装置が認識可能な機能に関するＡＣＤが前記ＡＣＡに記録されることである。
【００１１】
前記認識可能な機能に関するＡＣＤの共通情報は、前記認識可能な機能に関する識別子、前記媒体のフォーマット可能如何の情報、前記媒体に設けられた細部領域についての記録／再生可能如何の情報を含むことが望ましい。
【００１２】
前記フォーマット可能如何の情報及び前記細部領域についての記録／再生可能如何の情報は、それぞれフォーマット可能及び記録可能を設定されることが望ましい。
【００１３】
前記ＡＣＡに前記ＡＣＤが記録された後で残りの記録されていない領域は、所定の値で充填されることが望ましい。
【００１４】
本発明の他の特徴は、記録／再生装置において、情報記録媒体に適用された所定機能を認識できない記録／再生装置でも、前記媒体へのアクセスを制御できるように設定される共通情報を有するＡＣＤを記録するためのＡＣＡが設けられた前記媒体に/からデータを記録/再生する記録／再生部と、前記媒体の初期化時または再初期化時に、前記記録／再生装置が認識可能な機能に関するＡＣＤを前記ＡＣＡに記録するように、前記記録／再生部を制御する制御部とを含むことである。
【００１５】
本発明のさらに他の特徴は、記録／再生方法において、情報記録媒体に適用された所定機能を認識できない記録／再生装置でも、前記媒体へのアクセスを制御できるように設定される共通情報を有するＡＣＤを記録するためのＡＣＡが設けられた前記媒体の使用のために、前記媒体の初期化時または再初期化時に、前記記録／再生装置が認識可能な機能に関するＡＣＤを前記ＡＣＡに記録するステップを含むことである。
【００１６】
本発明のさらに他の特徴は、リードイン領域、データ領域、リードアウト領域が設けられた情報記録媒体の初期化方法において、前記データ領域に発生した欠陥を管理するように、前記リードイン領域に設けられた欠陥管理領域（ＤＭＡ）に欠陥管理及びディスク管理のための初期化情報を記録するステップと、前記媒体に適用された所定機能を認識できない記録／再生装置でも、前記媒体へのアクセスを制御できるように設定される共通情報を有するＡＣＤを記録するために、前記リードイン領域に設けられたＡＣＡに、前記記録／再生装置が認識可能な機能に関するＡＣＤを記録するステップとを含むことである。
【００１７】
前記初期化情報は、前記データ領域に発生した欠陥データに替わる代替データを記録するために、前記データ領域に割当てられるスペア領域の割当情報と、前記データ領域のうち、ユーザデータが記録されるＵＤＡ（ユーザデータエリア）の割当て情報とを含むディスク定義構造（ＤＤＳ）及び欠陥管理のための初期情報（ＤＦＬ）を含むことが望ましい。
【００１８】
本発明のさらに他の特徴は、リードイン領域、データ領域、リードアウト領域が設けられた情報記録媒体の再初期化方法において、前記媒体の欠陥管理及びディスク管理のために、前記リードイン領域に設けられたＤＭＡに記録された初期化情報、及び前記媒体に適用された所定機能を認識できない記録／再生装置でも、前記媒体へのアクセスを制御できるように設定される共通情報を有するＡＣＤを記録するために、前記リードイン領域に設けられたＡＣＡに記録されたＡＣＤを利用して、前記媒体の再初期化を許容するか否かを判断するステップと、再初期化が許容される場合に、前記ＤＭＡに欠陥管理及びディスク管理のための再初期化情報をアップデートするステップと、前記ＡＣＡをクリアし、前記ＡＣＡに前記記録／再生装置が認識可能な機能に関するＡＣＤを記録するステップとを含むことである。
【００１９】
前記再初期化情報は、前記データ領域に発生した欠陥データに替わる代替データを記録するために、前記データ領域に割当てられるスペア領域の割当て情報と、前記データ領域のうち、ユーザデータが記録されるＵＤＡの割当て情報とを含むＤＤＳ及びＤＦＬを含むことが望ましい。
【００２０】
前記再初期化方法は、前記スペア領域の割当て情報として前記スペア領域のサイズを決定し、前記ＵＤＡの割当て情報として前記ＵＤＡの開始アドレス及び終了アドレスを決定するステップをさらに含む。
【００２１】
本発明のさらに他の特徴は、記録／再生装置において、情報記録媒体に適用された所定機能を認識できない記録／再生装置でも、前記媒体へのアクセスを制御できるように設定される共通情報を有するＡＣＤを記録するためのＡＣＡ及び前記ＡＣＤブロックの欠陥状態や記録状態に関する状態情報を記録するためのＡＣＤの状態情報領域が設けられた前記媒体に/からデータを記録/再生する記録／再生部と、前記媒体の再初期化時に、前記アクセス制御データブロックの状態情報を変更して記録するように、前記記録／再生部を制御する制御部とを含むことである。
【００２２】
前記制御部は、再初期化前に前記有効なＡＣＤが記録されているということを表すＡＣＤブロックの状態情報は、有効でないＡＣＤが記録されており、今後ＡＣＤ記録のために使用可能であることを表す状態情報に変更し、再初期化前に欠陥ブロックを表すＡＣＤブロックの状態情報または今後ＡＣＤ記録のために使用可能であることを表す状態情報は、再初期化によって変更されないように制御し、再初期化前に有効なＡＣＤであることを表すが、再生中に欠陥が発生したブロックであることを表すＡＣＤブロックの状態情報は、欠陥ブロックであることを表す状態情報に変更することが望ましい。
【００２３】
前記制御部は、前記再初期化時、前記ＡＣＡのＡＣＤブロックの有効性如何を表示するために、前記ＡＣＤの識別子（ＡＣＤ＿ＩＤ）に“００ｈ”または“ＦＦｈ”を記録するように、前記記録／再生部をさらに制御することが望ましい。
【００２４】
前記制御部は、前記ＡＣＤ＿ＩＤが表すＡＣＤの有効性如何情報と前記ＡＣＤの状態情報とが異なる場合に、前記ＡＣＤの状態情報に基づいて、前記ＡＣＤブロックを再生するように制御し、前記ＡＣＤの状態情報再生時、エラーが発生した場合に、前記ＡＣＤのＡＣＤ＿ＩＤを参照して、前記ＡＣＤブロックの有効性如何を判断することが望ましい。
【００２５】
本発明のさらに他の特徴は、記録／再生装置において、情報記録媒体に適用された所定機能を認識できない記録／再生装置でも、前記媒体へのアクセスを制御できるように設定される共通情報を有するＡＣＤを記録するためのＡＣＡ及び前記ＡＣＤブロックの欠陥状態や記録状態に関する状態情報を記録するためのＡＣＤの状態情報領域が設けられた前記媒体に/からデータを記録/再生するステップと、前記媒体の再初期化時に前記ＡＣＤブロックの状態情報を変更して記録するステップと、を含むことである。
【００２６】
本発明のさらに他の特徴は、記録／再生装置において、情報記録媒体に適用された所定機能を認識できない記録／再生装置でも、前記媒体へのアクセスを制御できるように設定される共通情報を有するＡＣＤを記録するためのＡＣＡが設けられた前記媒体に/からデータを記録/再生する記録／再生部と、前記媒体の初期化時または再初期化時に、前記媒体の細部領域についての記録／再生を許容するように設定した共通情報及び所定の個別情報を含むデフォルトＡＣＤを前記ＡＣＡに記録するように、前記記録／再生部を制御する制御部と、を含むことである。
【００２７】
前記デフォルトＡＣＤに設定される値のうち、少なくとも一部は、ホストによって提供されるか、または前記制御部によって提供されるか、または前記ホスト及び前記制御部によって提供されることが望ましい。
【００２８】
本発明のさらに他の特徴は、記録／再生装置において、情報記録媒体に適用された所定機能を認識できない記録／再生装置でも、前記媒体へのアクセスを制御できるように設定される共通情報を有するＡＣＤを記録するためのＡＣＡが設けられた前記媒体に/からデータを記録/再生する記録／再生部と、前記媒体の初期化時または再初期化時に、前記記録／再生装置が認識可能な機能に関するＡＣＤのうち、少なくとも前記媒体の細部領域についての記録／再生を許容するように設定した共通情報及び所定の個別情報を含むデフォルトＡＣＤを前記ＡＣＡに記録するように前記記録／再生部を制御する制御部とを含むことである。
【００２９】
本発明のさらに他の特徴は、記録／再生装置において、情報記録媒体に適用された所定機能を認識できない記録／再生装置でも、前記媒体へのアクセスを制御できるように設定される共通情報を有するＡＣＤを記録するためのＡＣＡが設けられた前記媒体に/からデータを記録/再生する記録／再生部と、前記媒体の再初期化時に、前記ＡＣＡに記録されたＡＣＤブロックのうち、前記記録／再生装置が認識可能な機能に関するＡＣＤブロックは、ユーザの意図によって変更して記録し、前記記録／再生装置が認識不能な機能に関するＡＣＤブロックには、使用可能な状態を表す値で記録するように前記記録／再生部を制御する制御部と、を含むことである。
【００３０】
前記制御部は、前記認識可能な機能に関するＡＣＤブロックについては、ユーザの意図によって修正・削除するか、または新たな認識可能な機能に関するＡＣＤブロックを追加し、これに対応して、前記認識可能な機能に関するＡＣＤブロックの状態情報をアップデートして記録するように、前記記録／再生部をさらに制御することが望ましい。
【００３１】
新たな認識可能な機能に関するＡＣＤブロックは、前記媒体の細部領域についての記録／再生を許容するように設定した共通情報及び所定の個別情報を含むデフォルトＡＣＤを含むことが望ましい。
【００３２】
前記制御部は、前記認識不能な機能に関するＡＣＤブロックには、有効なデータが無いことを表すように“００ｈ”または“ＦＦｈ”を記録し、これに対応して、前記認識不能な機能に関するＡＣＤブロックの状態情報を使用できるブロックであることを表す状態情報に変更して記録するように、前記記録／再生部をさらに制御することが望ましい。
【００３３】
本発明のさらに他の特徴は、記録／再生方法において、情報記録媒体に適用された所定機能を認識できない記録／再生装置でも、前記媒体へのアクセスを制御できるように設定される共通情報を有するＡＣＤを記録するためのＡＣＡが設けられた前記媒体の初期化時または再初期化時に、前記媒体の細部領域についての記録／再生を許容するように設定した共通情報及び所定の個別情報を含むデフォルトＡＣＤを前記アクセス制御領域に記録するステップを含むことである。
【００３４】
本発明のさらに他の特徴は、記録／再生方法において、情報記録媒体に適用された所定機能を認識できない記録／再生装置でも、前記媒体へのアクセスを制御できるように設定される共通情報を有するＡＣＤを記録するためのＡＣＡが設けられた前記媒体の初期化時または再初期化時に、前記記録／再生装置が認識可能な機能に関するＡＣＤのうち、少なくとも前記媒体の細部領域についての記録／再生を許容するように設定した共通情報及び所定の個別情報を含むデフォルトＡＣＤを前記ＡＣＡに記録するステップを含むことである。
【００３５】
本発明のさらに他の特徴は、記録／再生方法において、情報記録媒体に適用された所定機能を認識できない記録／再生装置でも、前記媒体へのアクセスを制御できるように設定される共通情報を有するＡＣＤを記録するためのＡＣＡが設けられた前記媒体の再初期化時に、前記ＡＣＡに記録されたＡＣＤブロックのうち、前記記録／再生装置が認識可能な機能に関するＡＣＤブロックは、ユーザの意図によって変更して記録するステップと、前記記録／再生装置が認識不能な機能に関するＡＣＤブロックには、使用可能な状態を表す値で記録するステップとを含むことである。
【発明の効果】
【００３６】
本発明によれば、ディスクの初期化時または再初期化時に、規格が異なるドライブシステムでも分かるディスクのアクセス制御に関する共通的な情報を記録することによって、ディスクに適用された機能を認識するドライブシステムだけでなく、機能を認識できないドライブシステムも、このような共通的な情報を参照して、適切な行動を取れるようにして、ディスクの互換性を向上させることができる。
【発明を実施するための最良の形態】
【００３７】
以下、添付された図面を参照して、本発明を詳細に説明する。
【００３８】
図２は、本発明によって、異なる規格のディスク間の初期化または再初期化の互換性を説明するための参考図である。当初に機能Ａを含む再記録情報記録媒体のために、所定の規格をバージョン１.０とし、このバージョン１.０を具現した記録／再生装置を、バージョン１.０ドライブシステム２１とする。そして、バージョン１.０に新たな機能Ｂを含む他の機能の追加によってアップデートされた規格をバージョン１.１とし、このバージョン１.１を具現した記録／再生装置をバージョン１.１ドライブシステム２２とする。そして、バージョン１.１に新たな機能Ｃを含む他の機能の追加によってアップデートされた規格をバージョン１.２とし、このバージョン１.２を具現した記録／再生装置をバージョン１.２ドライブシステム２３とする。バージョン１.０、バージョン１.１、バージョン１.２のための再記録情報記録媒体をディスクＤ  ２４とする。
【００３９】
このとき、バージョン１.０ドライブシステム２１は、新たな機能Ｂ及びＣがいかなる機能であるか分からず、バージョン１.１ドライブシステム２２は、新たな機能Ｃがいかなる機能であるか分からない。しかし、バージョン１.２ドライブシステム２３は、新たな機能Ｂ及びＣをいずれも知っている。
【００４０】
このような状況で、空ディスクＤ  ２４がバージョン１.０ドライブシステム２１にローディングされて初期化される場合、このように初期化されたディスクＤ  ２４がバージョン１.１ドライブシステム２２及びバージョン１.２ドライブシステム２３でも認識されるように、バージョン１.０ドライブシステム２１は、空ディスクＤ  ２４を初期化せねばならない。また、空ディスクＤ  ２４がバージョン１.１ドライブシステム２２にローディングされて初期化される場合、このように初期化されたディスクＤがバージョン１.０ドライブシステム２１及びバージョン１.２ドライブシステム２３でも認識されるように、バージョン１.１ドライブシステム２２は、空ディスクＤを初期化せねばならない。同様に、空ディスクＤがバージョン１.２ドライブシステム２３にローディングされて初期化さえる場合、このように初期化されたディスクＤがバージョン１.０ドライブシステム２１及びバージョン１.１ドライブシステム２２でも認識されるように、バージョン１.２ドライブシステム２３は、空ディスク２４を初期化せねばならない。
【００４１】
このように、空ディスクＤがどのバージョンによるドライブシステムにローディングされて初期化されても、このディスクＤがバージョンが異なるドライブシステムで使用可能にするためには、ドライブシステムが空ディスクＤを初期化する時に共通的に認識できる情報を利用して初期化せねばならない。本発明は、バージョンが異なるドライブシステムでも認識可能にするために、ディスクのリードイン領域に設けられたＤＭＡとＡＣＡを利用して、ディスクを初期化する。すなわち、ＤＭＡとＡＣＡに初期化情報を入れて、初期化させることによって、バージョンが異なるドライブシステムでも、その共通的な初期化情報を利用してディスクを適切に使用可能にする。
【００４２】
このために、ディスクＤがバージョン１.０ドライブシステム２１で初期化される場合、機能Ａは、バージョン１.０、バージョン１.１、バージョン１.２ドライブシステム何れも認識可能な機能であるため、このようなディスクＤがどのドライブシステムにローディングされても、そのような情報は、ユーザまたはドライブ製作者の意図によって使用中に変更可能になる。
【００４３】
ディスクＤがバージョン１.１ドライブシステム２２で初期化される場合、新たな機能Ｂについては、機能Ａのみを知っているバージョン１.０ドライブシステム２１は、新たな機能Ｂを知らないので、新たな機能Ｂについてバージョン１.０ドライブシステム２１が動作せねばならない行為を規定した情報を、バージョン１.０規格制定当時に規定した規則または方式によってＡＣＡに記録せねばならない。これにより、新たな機能Ｂが適用されたディスクＤがバージョン１.０ドライブシステムにローディングされても、バージョン１.０ドライブシステムは、適切な動作を行うことができて、ディスク使用の便宜を提供できる。
【００４４】
ディスクＤがバージョン１.２ドライブシステム２３で初期化される場合、新たな機能Ｃについては、バージョン１.０ドライブシステム２１とバージョン１.１ドライブシステム２２とが新たな機能Ｃを知らないので、新たな機能Ｃについて、バージョン１.０ドライブシステム２１とバージョン１.１ドライブシステム２２とが動作せねばならない行為を規定した情報を、バージョン１.０規格制定時に規定した規則または方式によってＡＣＡに記録せねばならない。これにより、新たな機能Ｃが適用されたディスクＤがバージョン１.０ドライブシステムまたはバージョン１.１ドライブシステムにローディングされても、バージョン１.０ドライブシステムとバージョン１.１ドライブシステムとは、適切な動作を行うことができて、ディスク使用の便宜を提供できる。それだけでなく、新たな機能Ｂについては、バージョン１.０ドライブシステム２１が新たな機能Ｂを知らないので、新たな機能Ｂについて、バージョン１.０ドライブシステムが動作せねばならない行為を規定した情報を、バージョン１.０規格制定時に規定した規則または方式によってＡＣＡに記録せねばならない。これにより、新たな機能Ｂが適用されたディスクＤがバージョン１.０ドライブシステム２１にローディングされても、バージョン１.０ドライブシステムは、適切な動作を取れてディスク使用の便宜を提供できる。
【００４５】
既に使われたディスクの再初期化時にも同様である。バージョンが異なるドライブシステムでも認識可能にするために、ディスクのリードイン領域に設けられたＤＭＡとＡＣＡとを利用して使われたディスクを再初期化する。但し、再初期化の場合には、ユーザから再初期化命令が下されても、そのディスクに記録された情報が再初期化を許容するか否かを先に判断せねばならないという点が異なる。再初期化を許容するか否かについても、ＡＣＡに記録されたＡＣＤを判読して決定できる。ＡＣＡについては、以下で詳細に後述する。
【００４６】
図３は、本発明が適用されるディスクの構造図である。本発明が適用されるディスク１００は、リードイン領域１１０と、データ領域１２０と、リードアウト領域１３０が連続的に設けられる。
【００４７】
リードイン領域１１０は、ディスク製造時に、所定のデータがあらかじめ記録されて再生専用にのみ使われる、あらかじめ記録された領域１１１と、テスト領域１１２と、ＡＣＡ  １１３と、ＤＭＡ＃２  １１４と、ＤＭＡ＃１  １１５とを含む。テスト領域１１２と、ＡＣＡ  １１３と、ＤＭＡ＃２  １１４と、ＤＭＡ＃１  １１５は、データの記録及び変更が可能な記録可能な領域である。
【００４８】
あらかじめ記録された領域１１１は、ディスク製造時に、ディスク自体の情報があらかじめ記録される。例えば、ディスクを識別するディスク製造番号のようなディスクＩＤが記録される。
【００４９】
テスト領域１１２は、このディスク１００に最適の記録条件で記録するために、記録パワーをテストできる領域である。
【００５０】
ＡＣＡ  １１３は、今後追加される新たな機能について、ドライブシステムの動作を規定した情報を記録するための領域である。すなわち、所定の機能を知らないドライブシステムでも、このディスク１００へのアクセス制御を実行可能にする共通情報が記録された領域である。ＡＣＡについては、図５を参照して詳細に説明する。
【００５１】
ＤＭＡ＃１  １１５、ＤＭＡ＃２  １１４は、欠陥管理領域であって、ＵＤＡ  １２２に発生した欠陥に関する情報を記録するための領域である。これについては、図３を参照して詳細に説明する。
【００５２】
データ領域１２０は、スペア領域＃０  １２１、ＵＤＡ  １２２、スペア領域＃１  １２３を含む。
【００５３】
ＵＤＡ  １２２は、ユーザデータが記録される領域である。
【００５４】
スペア領域＃０  １２１、スペア領域＃１  １２３は、ＵＤＡ  １２２に発生した欠陥ブロックに替わる代替ブロックのために設けられた領域である。このようなスペア領域は、ディスクの初期化時または再初期化時にデータ領域に割当てられる。
【００５５】
リードアウト領域１３０は、ＤＭＡ＃３  １３１と、ＤＭＡ＃４  １３２とを含む。
【００５６】
図４は、図３に示されたＤＭＡ＃１の細部的な構造図である。ＤＭＡ＃１  １１５は、ＤＤＳ  ４１０と、ＤＦＬ  ４２０とを含む。ＤＤＳは、ディスク定義構造であって、ディスク管理に関する情報を含んでいる。すなわち、ＤＤＳ  ４１０は、ディスクの初期化時または再初期化時に記録される情報として、スペア領域のサイズ情報４１１とＵＤＡの開始及び終了アドレス情報４１２とを含んでいる。ドライブシステムは、ディスクを初期化または再初期化時にデータ領域にスペア領域を割当て、データ領域のうち、ユーザデータが記録されるＵＤＡを決定した後、これに関する情報をＤＤＳ  ４１０に記録する。ＤＦＬ  ４２０は、欠陥リストであって、ＵＤＡから発生した欠陥に関する情報を含んでいる。例えば、欠陥リストは、ＵＤＡに発生した欠陥ブロックのアドレス情報、この欠陥ブロックに替わる代替ブロックのアドレス情報、欠陥に関する状態情報を含む。
【００５７】
図５は、図３に示されたＡＣＡの細部的な構造図である。ＡＣＡ  １１３は、ＡＣＤ＃１  ５１０、ＡＣＤ＃２  ５２０、ＡＣＤ＃３  ５３０を含む。
【００５８】
ＡＣＡ  １１３は、前述したように、既存の規格でも、新たな機能が追加された新たな規格でも、このディスクへのアクセス制御のための共通情報が記録される領域である。すなわち、既存の規格と新たな機能が追加された新たな規格とで使用する全ての機能に共通的に適用される共通的な情報テーブルを記録するための領域である。各ＡＣＤが、各機能に関する共通情報テーブルを構成する。言い換えれば、ＡＣＤ＃１  ５１０は、“機能１”に関する共通情報テーブルを構成し、ＡＣＤ＃２  ５２０は、“機能２”に関する共通情報テーブルを構成し、ＡＣＤ＃３  ５３０は、“機能３”に関する共通情報テーブルを構成する。ここで、例えば、機能１は、ドライブシステムが認識可能な機能であり、機能２及び機能３は、ドライブシステムが認識不可能な機能でありうる。もちろん、各ＡＣＤは、全ての規格のドライブシステムが共通的に認識できる共通情報以外に、そのＡＣＤの機能を認識しているドライブシステムのみが認識できる個別情報も含むことができる。
【００５９】
ＡＣＤ＃１  ５１０は、共通情報５１１と、個別情報５１２とを含む。
【００６０】
共通情報５１１は、このＡＣＤを識別するための識別子であるＡＣＤ＿ＩＤ  ５１３、フォーマット可能如何を表すフォーマット可能如何の情報５１４、ＤＭＡの記録が可能であるか、または再生のみが可能であるかを表すＤＭＡ記録／再生可能如何の情報５１５、スペア領域の記録が可能であるか、または再生のみが可能であるかを表すスペア領域記録／再生可能如何の情報５１６、ＵＤＡの記録が可能であるか、または再生のみが可能であるかを表すＵＤＡ記録／再生可能如何の情報５１７を含む。フォーマット可能如何の情報５１４、ＤＭＡ記録／再生可能如何の情報５１５、スペア領域記録／再生可能如何の情報５１６、ＵＤＡ記録／再生可能如何の情報５１７が共通情報テーブルを構成する。
【００６１】
ドライブシステムは、ＡＣＤ＿ＩＤ  ５１３を確認することによって、このＡＣＤが認識可能な機能に関するものであるか、または認識不可能な機能に関するものであるかを判断できる。すなわち、ＡＣＤ＿ＩＤ  ５１３がドライブシステムが知っている識別子であれば、このＡＣＤは、ドライブシステムが認識可能な機能に関するものであり、ドライブシステムが知らない識別子であれば、このＡＣＤは、ドライブシステムが認識不可能な機能に関するものである。
【００６２】
また、ドライブシステムは、前記ＡＣＤ＿ＩＤ  ５１３を認識できなくとも、前記共通情報テーブルに入っているフィールドを確認することによって、ドライブシステムが認識不可能な機能についても最小限の適切な動作を取れる。
【００６３】
ＡＣＤ＃２  ５２０も、共通情報５２１と、個別情報５２２とを含み、共通情報５２１は、このＡＣＤを識別するためのＩＤであるＡＣＤ＿ＩＤ  ５２３を有し、共通情報テーブルとして、フォーマット可能如何の情報５２４、ＤＭＡ記録／再生可能如何の情報５２５、スペア領域記録／再生可能如何の情報５２６、ＵＤＡ記録／再生可能如何の情報５２７を含む。
【００６４】
さて、図６及び図７を参照して、図２に示されたような状況で、各ドライブシステムによってディスクが初期化または再初期化される時、ＡＣＡに記録されるＡＣＤを説明する。
【００６５】
図６は、図２に示されたバージョン１.０ドライブシステム２１で初期化または再初期化時に、ＡＣＡに記録されるＡＣＤの一例である。バージョン１.０ドライブシステム２１は、機能Ａのみを知っているので、機能Ａに関するＡＣＤ＃１  ６１０のみをＡＣＡ  １１３に記録する。そして、ＡＣＡにＡＣＤ＃１  ６１０を記録した後、残りの記録されていない領域６２０には、００ｈで充填する。ＦＦｈで充填することもある。これは、ＡＣＡにそれ以上のＡＣＤが無いことを表すためであり、今後ドライブシステムがこの領域を使用可能にするためである。
【００６６】
ＡＣＤ＃１  ６１０は、共通情報６１１と、個別情報６１２とを含む。
【００６７】
共通情報６１１には、このＡＣＤの識別子としてＡＣＤ＿ＩＤ  ６１３フィールドに、このドライブシステムが知っている機能“Ａ”が記録され、フォーマット可能如何の情報６１４、ＤＭＡ記録／再生可能如何の情報６１５、スペア領域記録／再生可能如何の情報６１６、ＵＤＡ記録／再生可能如何の情報６１７は、何れも記録可能であることを表す“０”と設定される。これは、ディスクを使用可能にする初期化または再初期化であるので、前記フォーマット可能または記録可能如何の情報を何れも記録可能と設定する。
【００６８】
このように初期化されたディスクＤのＡＣＡ  １１３に記録された機能Ａに関するＡＣＤ＃１は、バージョン１.０、バージョン１.１、バージョン１.２ドライブシステム何れも認識可能な機能であるため、このようなディスクＤがどのドライブシステムにローディングされても、そのような情報は、ユーザまたはドライブ製作者の意図によって、使用中に変更可能になる。
【００６９】
図７は、図２に示されたバージョン１.１ドライブシステム２２で初期化または再初期化時に、ＡＣＡに記録されるＡＣＤの一例である。バージョン１.１ドライブシステム２２は、機能Ａ及び機能Ｂを知っているので、機能Ａに関するＡＣＤ＃１  ７１０と機能Ｂに関するＡＣＤ＃２  ７２０とをＡＣＡ  １１３に記録する。そして、ＡＣＡにＡＣＤ＃１  ７１０及びＡＣＤ＃２  ７２０を記録した後、残りの記録されていない領域７３０には、００ｈで充填する。ＦＦｈで充填することもある。
【００７０】
ＡＣＤ＃１  ７１０は、共通情報７１１と、個別情報７１２とを含む。
【００７１】
共通情報７１１には、機能Ａに関するＡＣＤの識別子としてＡＣＤ＿ＩＤ  ７１３フィールドに、このドライブシステムが知っている機能“Ａ”が記録され、フォーマット可能如何の情報７１４、ＤＭＡ記録／再生可能如何の情報７１５、スペア領域記録／再生可能如何の情報７１６、ＵＤＡ記録／再生可能如何の情報７１７は、何れも記録可能を表す“０”と設定される。これは、ディスクを使用可能にする初期化または再初期化であるので、前記フォーマット可能または記録可能如何の情報を何れも記録可能と設定する。
【００７２】
ＡＣＤ＃２  ７２０は、共通情報７２１と、個別情報７２２とを含む。
【００７３】
共通情報７２１には、機能Ｂに関するＡＣＤの識別子としてＡＣＤ＿ＩＤ  ７２３フィールドに、このドライブシステムが知っている機能“Ｂ”が記録され、フォーマット可能如何の情報７２４、ＤＭＡ記録／再生可能如何の情報７２５、スペア領域記録／再生可能如何の情報７２６、ＵＤＡ記録／再生可能如何の情報７２７は、何れも記録可能を表す“０”と設定される。
【００７４】
このように初期化されたディスクＤのＡＣＡ  １１３に記録された機能Ａに関するＡＣＤ＃１は、バージョン１.０、バージョン１.１、バージョン１.２ドライブシステム何れも認識可能な機能であるため、このようなディスクＤがどのドライブシステムにローディングされても、そのような情報は、ユーザまたはドライブ製作者の意図によって使用中に変更可能になる。また、機能Ｂに関するＡＣＤ＃２は、バージョン１.０ドライブシステム２１が、その機能は認識できずとも、そのＡＣＤに含まれた共通情報を利用して、バージョン１.０ドライブシステム２１は、このディスクへのアクセス制御と関連した動作を取れる。
【００７５】
図８は、図２に示されたバージョン１.２ドライブシステム２３で、初期化または再初期化時にＡＣＡに記録されるＡＣＤの一例である。バージョン１.２ドライブシステム２３は、機能Ａと機能Ｂ、機能Ｃを何れも知っているので、機能Ａに関するＡＣＤ＃１  ８１０と機能Ｂに関するＡＣＤ＃２  ８２０、機能Ｃに関するＡＣＤ＃３  ８３０を何れもＡＣＡ  １１３に記録する。そして、ＡＣＡでＡＣＤが記録されていない領域８３０には、００ｈで充填する。ＦＦｈで充填することもある。
【００７６】
ＡＣＤ＃１  ８１０は、共通情報８１１と、個別情報８１２とを含む。
【００７７】
共通情報８１１には、機能Ａに関するＡＣＤの識別子としてＡＣＤ＿ＩＤ  ８１３フィールドに、このドライブシステムが知っている機能“Ａ”が記録され、フォーマット可能如何の情報８１４、ＤＭＡ記録／再生可能如何の情報８１５、スペア領域記録／再生可能如何の情報８１６、ＵＤＡ記録／再生可能如何の情報８１７は、何れも記録可能を表す“０”と設定される。これは、ディスクを使用可能にする初期化または再初期化であるので、前記フォーマット可能または記録可能如何の情報を何れも記録可能と設定する。
【００７８】
ＡＣＤ＃２  ８２０は、共通情報８２１と、個別情報８２２とを含む。
【００７９】
共通情報８２１には、機能Ｂに関するＡＣＤの識別子としてＡＣＤ＿ＩＤ  ８２３フィールドに、このドライブシステムが知っている機能“Ｂ”が記録され、フォーマット可能如何の情報８２４、ＤＭＡ記録／再生可能如何の情報８２５、スペア領域記録／再生可能如何の情報８２６、ＵＤＡ記録／再生可能如何の情報８２７は、何れも記録可能を表す“０”と設定される。
【００８０】
ＡＣＤ＃３  ８３０は、共通情報８３１と、個別情報８３２とを含む。
【００８１】
共通情報８３１には、機能Ｃに関するＡＣＤの識別子としてＡＣＤ＿ＩＤ  ８３３フィールドに、このドライブシステムが知っている機能“Ｃ”が記録され、フォーマット可能如何の情報８３４、ＤＭＡ記録／再生可能如何の情報８３５、スペア領域記録／再生可能如何の情報８３６、ＵＤＡ記録／再生可能如何の情報８３７は、何れも記録可能を表す“０”と設定される。
【００８２】
このように初期化されたディスク１００のＡＣＡ  １１３に記録された機能Ａに関するＡＣＤ＃１は、バージョン１.０、バージョン１.１、バージョン１.２ドライブシステム何れも認識可能な機能であるため、このようなディスク１００がどのドライブシステムにローディングされても、そのような情報は、ユーザまたはドライブ製作者の意図によって使用中に変更可能になる。また、機能Ｂに関するＡＣＤ＃２は、バージョン１.０ドライブシステム２１が、その機能は認識できずとも、そのＡＣＤに含まれた共通情報を利用して、バージョン１.０ドライブシステム２１は、このディスクへのアクセス制御と関連した動作を取れる。また、機能Ｃに関するＡＣＤ＃３は、バージョン１.０ドライブシステム２１及びバージョン１.１ドライブシステム２２が、その機能は認識できずとも、そのＡＣＤに含まれた共通情報を利用して、バージョン１.０ドライブシステム２１及びバージョン１.１ドライブシステム２２は、このディスクへのアクセス制御と関連した動作を取れる。
【００８３】
図９は、本発明によって、初期化または再初期化を行う記録／再生装置の概略的なブロック図である。記録／再生装置は、記録／再生部２と、制御部１とを含む。
【００８４】
記録／再生部２は、ピックアップを備えて、本発明が適用される情報記録媒体であるディスク１００に/からデータを記録/再生する。
【００８５】
制御部１は、所定のファイルシステムによって、ディスク１００に/からデータを記録/再生するように記録／再生部２を制御する。特に、本発明による制御部１は、空ディスクがローディングされた場合、初期化を行うように制御し、既に使われたディスクがローディングされた場合、再初期化を行うように制御する。
【００８６】
制御部１は、システム制御器１０と、ホストＩ／Ｆ（ＩｎｔｅｒＦａｃｅ）２０と、ＤＳＰ（Ｄｉｇｉｔａｌ  Ｓｉｇｎａｌ  Ｐｒｏｃｅｓｓｏｒ）３０と、ＲＦ  ＡＭＰ（Ｒａｄｉｏ  Ｆｒｅｑｕｅｎｃｙ  ＡＭＰｌｉｆｉｅｒ）４０と、サーボ５０とを備える。
【００８７】
記録時、ホストＩ／Ｆ  ２０は、ホスト３から所定の記録命令を受信して、これをシステム制御器１０に伝送する。システム制御器１０は、このようなホストＩ／Ｆ  ２０から受信された記録命令を行うために、ＤＳＰ  ３０とサーボ５０とを制御する。ＤＳＰ  ３０は、ホストＩ／Ｆ  ２０から受けた記録するデータをエラー訂正のためにパリティなどの付加データを添加してＥＣＣ（Ｅｒｒｏｒ  Ｃｏｒｒｅｃｔｉｏｎ  Ｃｏｄｉｎｇ）を行って、エラー訂正ブロックであるＥＣＣブロックを生成した後、これを所定の方式で変調する。ＲＦ  ＡＭＰ  ４０は、ＤＳＰ  ３０から出力されたデータをＲＦ信号に変える。ピックアップを備えた記録／再生部２は、ＲＦ  ＡＭＰ  ４０から伝送されたＲＦ信号をディスク１００に記録する。サーボ５０は、システム制御器１０からサーボ制御に必要な命令を入力されて記録／再生部２のピックアップをサーボ制御する。
【００８８】
再生時、ホストＩ／Ｆ  ２０は、ホスト３から再生命令を受ける。システム制御器１０は、再生に必要な初期化を行う。記録／再生部２は、ディスク１００にレーザビームを照射して、ディスク１００から反射されたレーザビームを受光して得られた光信号を出力する。ＲＦ  ＡＭＰ  ４０は、記録／再生部２から出力された光信号をＲＦ信号に変え、ＲＦ信号から得られた変調されたデータをＤＳＰ  ３０に提供する一方、ＲＦ信号から得られた制御のためのサーボ信号をサーボ５０に提供する。ＤＳＰ  ３０は、変調されたデータを復調し、ＥＣＣエラー訂正を経て得られたデータを出力する。一方、サーボ５０は、ＲＦ  ＡＭＰ４０から受けたサーボ信号と、システム制御器１０から受けたサーボ制御に必要な命令とを受けてピックアップに対するサーボ制御を行う。ホストＩ／Ｆ  ２０は、ＤＳＰ  ３０から受けたデータをホストに送る。システム制御器１０は、再生制御のためにディスク管理情報や欠陥に関する情報をディスクから読出して、欠陥のないデータが記録された位置からデータを読出すようにサーボを制御する。
【００８９】
図９に示された記録／再生装置は、個別的な記録装置、再生装置で具現されるか、または一つの記録及び再生装置で具現されうる。
【００９０】
以下、図１０及び図１１を参照して、本発明による記録／再生装置で行われるディスク初期化方法及び再初期化方法の一例の過程を説明する。
【００９１】
図１０は、本発明による初期化方法の過程を示すフローチャートである。まず、ドライブシステムに空ディスク１００がローディングされる（１０１０）。
【００９２】
次いで、ドライブシステムのシステム制御器１０は、ホストＩ／Ｆ
２０を通じてホスト３からディスク初期化命令を受信する（１０２０）。
【００９３】
それにより、システム制御器１０は、ディスク１００のデータ領域内でスペア領域を割当ててサイズを決定し（１０３０）、データ領域のうち、ユーザデータが記録されるＵＤＡを割当てて、ＵＤＡの開始アドレスと終了アドレスとを決定する（１０４０）。このとき、スペア領域の割当ては、ホストによってなされることもあり、ドライブ製作者の意図によって所定のサイズに割当てられることもある。
【００９４】
次いで、システム制御器１０は、ディスク１００のリードイン領域に設けられたＤＭＡに、上のステップ１０４０で決定されたスペア領域の割当て情報とＵＤＡの割当て情報とを含むＤＤＳと、初期欠陥リストである初期ＤＦＬとを記録するように、ＤＭＡに記録／再生部２及びサーボ５０を制御する（１０５０）。ＤＭＡに記録される初期化情報については、図４を参照して詳細に説明した。
【００９５】
次いで、システム制御器１０は、このドライブシステムが認識可能な機能に関するＡＣＤを、ディスク１００のリードイン領域に設けられたＡＣＡに記録するように記録／再生部２とサーボ５０とを制御する（１０６０）。ＡＣＡに記録されるアクセス制御情報については、図５を参照して詳細に説明した。
【００９６】
次いで、システム制御器１０は、ディスク１００のＡＣＡのうち、ＡＣＤが記録されていない残りの領域に００ｈまたはＦＦｈなど所定の値で充填して記録するように、記録／再生部２とサーボ５０とを制御する（１０７０）。
【００９７】
図１１は、本発明による再初期化方法の過程を示すフローチャートである。まず、ドライブシステムに既に使われたディスク１００がローディングされる（１１１０）。既に使われたディスク１００がドライブシステムにローディングされれば、システム制御器１０は、ディスク１００上のＤＭＡ情報を認識し、かつＡＣＡにアクセスして、このシステム制御器１０が知っている機能と知らない機能とについて、このドライブシステムが動作せねばならない行為を規定した情報、すなわち、ＡＣＤを認識する。
【００９８】
次いで、ドライブシステムのシステム制御器１０は、ホストＩ／Ｆ  ２０を通じてホスト３からディスク再初期化命令を受信する（１１２０）。
【００９９】
それにより、まず、システム制御器１０は、ディスク１００のリードイン領域に設けられたＤＭＡとＡＣＡとに入っている情報を読出すように記録／再生部２を制御してこの情報を受信する（１１３０）。ここで言及するＤＭＡに入っている情報は、記録防止フラグ情報となり、ＡＣＡに入っている情報は、ＡＣＤの共通情報のうち、記録やフォーマット許容に関連した情報を称す。
【０１００】
次いで、システム制御器１０は、このような情報がディスクの再初期化を許容するか否かを判断する（１１４０）。すなわち、ＤＭＡには、記録防止フラグが設定されうるが、このような記録防止フラッグが“１”と設定されてあれば、このディスクには記録をできないので、再初期化を行えない。ＡＣＡに記録されるＡＣＤの共通情報には、フォーマット可能如何の情報及びディスクの細部領域についての記録／再生可能如何の情報が含まれている。このような情報がディスクのフォーマットを許容しないか、または各細部領域に記録を許容しない場合には、再初期化を行えない。したがって、システム制御器１０は、まず、このような情報を判断して、このディスクに記録が可能であるか否かを判断せねばならない。
【０１０１】
システム制御器１０の判断結果、記録防止フラグが“１”と設定されているか、またはＡＣＤのうち共通情報がフォーマットを許容しないか、または各細部領域に記録を許容しないように設定された場合に、システム制御器１０は、ディスク再初期化を行えないと決定し、ホストＩ／Ｆ  ２０を通じてホスト３にエラーメッセージを伝送する（１１９０）。
【０１０２】
しかし、システム制御器１０の判断結果、記録防止フラグが“１”と設定されておらず、ＡＣＤのうち、共通情報がフォーマットを許容し、各細部領域に記録を許容するように設定された場合に、システム制御器１０は、ディスク再初期化を行うことを決定し、ディスク再初期化を開始する。
【０１０３】
一方、もし、ＡＣＤのうちドライブシステムが認識可能な機能についてのＡＣＤに設定された値は再初期化を許容せず、認識不能な機能についてのＡＣＤの設定された値は、再初期化を許容する値に設定されてあれば、認識可能な機能については、ＡＣＤに設定された値を変更してアップデートできるので、ユーザが再初期化を所望する場合には、認識可能な機能についてのＡＣＤに設定された値を再初期化が可能な値に変更した後、ディスク再初期化を行うことを決定することが可能である。
【０１０４】
システム制御器１０は、ディスク１００のデータ領域内でスペア領域を割当ててサイズを決定し、データ領域のうち、ユーザデータが記録されるＵＤＡを割当ててＵＤＡの開始アドレスと終了アドレスとを決定する（１１５０）。
【０１０５】
次いで、システム制御器１０は、ディスク１００のリードイン領域にあるＤＭＡをクリアした後、前記のように決定された情報、すなわち、スペア領域の割当て情報とＵＤＡの割当て情報とを含むＤＤＳと、初期欠陥リストの初期ＤＦＬとを記録するようにＤＭＡに記録／再生部２及びサーボ５０を制御する（１１６０）。ここで、ＤＭＡをクリアし、初期化情報を記録すると説明したが、このディスクが再記録可能なディスクであるので、実際には、ＤＭＡに記録される初期化情報をアップデートする方式になる。図１１では、この時、ＵＤＡの所定位置に記録されてＵＤＡに記録されたデータを管理するためのファイルシステムデータ（図示せず）もクリアされねばならない。
【０１０６】
次いで、システム制御器１０は、ディスク１００のリードイン領域にあるＡＣＡをクリアするように記録／再生部２を制御し、このドライブシステムが、認識可能な機能に関するＡＣＤをディスク１００のリードイン領域に設けられたＡＣＡに記録するように、記録／再生部２とサーボ５０とを制御する（１１７０）。
【０１０７】
次いで、システム制御器１０は、ディスク１００のＡＣＡのうち、ＡＣＤが記録されていない残りの領域に００ｈまたはＦＦｈなど所定の値で充填して記録するように、記録／再生部２とサーボ５０とを制御する（１１８０）。これは、ＡＣＡに、これ以上のＡＣＤが無いことを表すためであり、今後ドライブシステムがこの領域を使用可能にするためである。
【０１０８】
以下、後述されるものは、ＡＣＡのＡＣＤブロックに関する記録状態や欠陥状態を管理する場合に、ディスクの再初期化時に、このようなＡＣＤブロックの状態情報をアップデートする方法である。
【０１０９】
以下で詳細に説明されるが、ＡＣＤを記録するためのＡＣＡのそれぞれのブロックの状態情報をＤＤＳに記録して管理すれば、ＡＣＤブロックを効果的に管理できる。前記状態情報は、ＡＣＤを記録するために使用できるという情報、欠陥ブロックであるか、有効でないＡＣＤが記録されたブロックという情報、有効なＡＣＤが記録されているというブロック情報、有効なＡＣＤが記録されているが、再生中欠陥であったという情報を表す。物理的にＡＣＡに記録されたＡＣＤブロックは、ＡＣＤ＿ＩＤを有するが、このＡＣＤ＿ＩＤからドライブシステムは、このＡＣＤがどんな機能に関するＡＣＤであるかが分かる。ＡＣＤブロックの再生時、ディスクがドライブにローディングされれば、ドライブは、ＤＤＳ内にあるそれぞれのＡＣＤブロックについての状態情報から有効なＡＣＤブロックが記録された位置を知り、有効なＡＣＤブロックを再生する。
【０１１０】
再初期化前、ＡＣＤブロックの状態情報であってＤＤＳ内に有効なＡＣＤが記録されているという状態で表示されていれば、そのブロックは良好なブロックである。再初期化以後、そのＡＣＤブロックに記録されているＡＣＤは、それ以上必要ないため、そのブロックについての状態情報は、有効なＡＣＤが記録されておらず、今後ＡＣＤを記録するために使用できるということを表すために、状態情報が変更されねばならない。もし、再初期化の間に、ＤＤＳ内にある有効なＡＣＤブロックについての状態情報を変更しなければ、今後ドライブは、ＤＤＳ内にある有効なＡＣＤブロックが記録されているという状態情報からＡＣＤブロックを再生する。したがって、ディスクの再初期化時には、このようなＡＣＤブロックの状態情報をアップデートすることが要求される。また、再初期化によって、そのＡＣＤは、それ以上有効でない情報であるため、ドライブシステムは、前記ＡＣＤから誤った情報を得て問題をもたらすことがある。したがって、再初期化過程で、ＤＤＳ内のＡＣＤブロックについての状態情報を変更することだけでなく、ＡＣＡに記録されているＡＣＤブロック全部またはＡＣＤブロックのＡＣＤ＿ＩＤのみを“００ｈ”ｏｒ“ＦＦｈ”のような値で再記録して物理的に消すことも必要である。ＡＣＤ＿ＩＤが“００”または“ＦＦ”のような値を表す場合には、このＡＣＤデータの内容がそれ以上有効でなく、また今後ＡＣＤブロックを記録するために使用可能であるということを表す。これは、ＡＣＤブロックをクリアする時、“００ｈ”または“ＦＦｈ”で再記録するため、前記ＡＣＤブロックのＡＣＤ＿ＩＤは、“００”または“ＦＦ”のような値を有するためである。
【０１１１】
整理すれば、ディスクの再初期化時、ＡＣＡに記録されている有効なＡＣＤブロックは、“００ｈ”または“ＦＦｈ”のような値で再記録され、かつＤＤＳ内にある有効なＡＣＤブロックについての状態情報は、有効なＡＣＤが記録されておらず、今後ＡＣＤを記録するために使用できるという状態情報に変更する。
【０１１２】
図１２は、図３に示されたＤＭＡ＃１の細部的な構造図の他の例である。ＤＤＳ  ４１０は、ディスク管理のための情報を記録するための領域であり、スペア領域のサイズ情報４１１とＵＤＡの開始及び終了アドレス情報４１２とを含むだけでなく、特に、本発明によって、ＡＣＤ状態情報４１３がさらに記録される。ＡＣＤ状態情報４１３は、ＡＣＡに各ＡＣＤが記録されるＡＣＤブロックの記録状態や欠陥状態に関する情報である。図１２を参照するに、各ＡＣＤブロックの状態情報は、２ビットで構成される。
【０１１３】
図１３は、本発明によって、ＡＣＤ状態情報に含まれる状態を説明するための参考図である。各ＡＣＤブロックの状態は、２ビットで表示され、４つの状態、すなわち、“００”、“０１”、“１０”、“１１”を含む。
【０１１４】
“００”は、記録可能なＡＣＤを使用できるＡＣＤブロックであることを表す。“０１”は、欠陥ブロックであることを表すが、具体的には、１）ＡＣＡにＡＣＤブロックを記録する途中に欠陥として発見されたブロック、２）有効でないＡＣＤが記録されたブロックであることを表す状態のうち何れか一つを表す。
【０１１５】
“１０”は、ＡＣＡに記録されたＡＣＤを再生する途中に欠陥として発見されたが、有効なＡＣＤが記録されたブロックであることを表す。
【０１１６】
“１１”は、有効なＡＣＤが記録されたブロックであることを表す。
【０１１７】
図１４Ａ、図１４Ｂ、図１５Ａ、図１５Ｂは、本発明によってディスクを再初期化する場合に、ＡＣＤの状態情報のアップデートを説明するための参考図であって、図１４Ａ及び図１４Ｂは、ディスク再初期化前のＡＣＤブロック及びＡＣＤ状態情報の例を表し、図１５Ａ及び図１５Ｂは、ディスク再初期化後のＡＣＤブロック及びＡＣＤ状態情報の例を表す。
【０１１８】
図１４Ａを参照するに、再初期化前にＡＣＡに、例えば、５個のＡＣＤブロックがあり、ＡＣＤブロック＃１には、有効なＡＣＤデータが記録されており、ＡＣＤブロック＃２には、欠陥であるＡＣＤデータが記録されており、ＡＣＤブロック＃３には、有効なＡＣＤデータが記録されており、ＡＣＤブロック＃４は、未記録であるか、またはそのＡＣＤ＿ＩＤが“００”または“ＦＦ”と記録されており、ＡＣＤブロック＃５は、有効なＡＣＤデータが記録されているが、再生中に欠陥として判明されたブロックであることを表す。ＡＣＤ＿ＩＤが“００”であるか、または“ＦＦ”であるものは、既に記録されたブロックであるが、現在状態で有効なデータが記録されていないため、今後にＡＣＤデータの記録のために使用できるブロックであることを表す。
【０１１９】
このような再初期化前のＡＣＤブロックについての状態情報が図１４Ｂに示されている。
【０１２０】
図１４Ｂを参照するに、ＡＣＤブロック＃１の状態情報には、ＡＣＤブロック＃１が有効なデータであることを表す“１１”が記録されており、ＡＣＤブロック＃２の状態情報には、ＡＣＤブロック＃２が欠陥データであることを表す“０１”が記録されており、ＡＣＤブロック＃３の状態情報には、ＡＣＤブロック＃３が有効なデータであることを表す“１１”が記録されている。また、ＡＣＤブロック＃４の状態情報には、ＡＣＤブロック＃４が未記録または既に記録された部分でも、それ以上有効なデータが記録されていないので、ＡＣＤデータを記録するために使用できる状態であることを表すために“００”が記録されている。ＡＣＤブロック＃５の状態情報には、ＡＣＤブロック＃５のＡＣＤを再生する途中に欠陥として発見されたが、有効なＡＣＤが記録された状態であることを表すために“１０”が記録されている。
【０１２１】
図１４Ａ及び図１４Ｂに示されたようなＡＣＤブロック及びＡＣＤ状態情報は、ディスクの再初期化によって、図１５Ａ及び図１５Ｂに示されたような状態になる。
【０１２２】
図１５Ａを参照するに、再初期化前に欠陥状態であったＡＣＤブロック＃２のみが以前の状態をそのまま維持し、残りのＡＣＤブロック、すなわち、有効なブロックであるか、ＡＣＤ＿ＩＤが“００”または“ＦＦ”であるブロックであるか、再生中に欠陥として判明されたＡＣＤブロックは、再初期化によってそのブロックを使用可能にするために、そのＡＣＤブロックのＡＣＤ＿ＩＤに“００”または“ＦＦ”が記録される。再初期化前に未記録ブロックは、再初期化後にも依然として未記録ブロックとして残る。
【０１２３】
このような再初期化後のＡＣＤブロックについての状態情報は、図１５Ｂに示されている。ＡＣＤブロック＃１、ＡＣＤブロック＃３、ＡＣＤブロック＃４の状態情報には、ＡＣＤブロック＃１、ＡＣＤブロック＃３、ＡＣＤブロック＃４は、未記録または既に記録された部分でも、それ以上有効なデータが記録されていないので、ＡＣＤデータを記録するために使用できる状態であることを表すために“００”に変更する。ＡＣＤブロック＃２の状態情報には、ＡＣＤブロック＃２が欠陥データであることを表す“０１”がそのまま維持され、ＡＣＤブロック＃５の状態情報には、ＡＣＤブロック＃５の再生中に欠陥として発見されたため、“１０”に変更する。再生中に欠陥として発見されたＡＣＤブロックの場合に、ＡＣＤ＿ＩＤは、“００ｈ”または“ＦＦｈ”と記録されて使用できる状態のブロックであることを表し、状態情報には、欠陥ブロックであることを表す“０１”で表示する。このようにする理由は、後述されるように、ＡＣＤ＿ＩＤと状態情報とが異なる場合に、状態情報が優先されるため、一旦、このブロックは、欠陥ブロックとして使用不能にし、但し、状態情報の再生時、エラーによって状態情報を抽出できない場合には、このＡＣＤ＿ＩＤが“００ｈ”または“ＦＦｈ”と設定されたブロックを使用可能にするためである。
【０１２４】
以上、前述したような構造によれば、ＡＣＡに記録されているＡＣＤのＡＣＤ＿ＩＤが表しているＡＣＤブロックの状態情報と、ＤＤＳ内にあるＡＣＤブロックの状態情報とが異なる場合が発生することがある。このような場合に、ドライブシステムは、常にＤＤＳ内にあるそれぞれのＡＣＤブロックについての状態情報をまず信頼せねばならない。
【０１２５】
さらに具体的に説明すれば、次の通りである。
【０１２６】
それぞれのＡＣＤブロックについての状態は、ＤＤＳ内にあるそれぞれのＡＣＤブロックについての状態情報から分かり、また、ＡＣＡに記録されたＡＣＤブロックのＡＣＤ＿ＩＤからも分かる。もし、この二つの情報間の乖離が生じる場合、ドライブシステムは、常にＤＤＳ内にあるそれぞれのＡＣＤブロックについての状態情報をまず信頼せねばならない。そして、もし、ＤＭＡ内に発生した欠陥の理由によってＤＤＳを再生できない場合に、ドライブシステムは、ＡＣＡに記録されたＡＣＤブロックのＡＣＤ＿ＩＤからその情報の有効性如何を判断する。前記二つの情報間の乖離は、記録中欠陥によって発生する可能性がある。すなわち、もし、有効なＡＣＤがＡＣＤブロックＡに記録されていれば、ＤＤＳ内のＡＣＤブロックＡの状態は、図１３に示されたように“１１”を表している。もし、このＡＣＤブロックＡのアップデートが要求されてＡＣＤブロックＡにアップデートされたＡＣＤを記録しようとしたが、記録中に欠陥が発生すれば、ドライブシステムは、前記ＡＣＤブロックＡについての状態情報を欠陥ブロックとして表す。しかし、ＡＣＤブロックＡには、記録中に欠陥によって、再記録されずに依然としてアップデートされる前のＡＣＤが記録されており、そのＡＣＤ＿ＩＤは、変更されずにそのままでありうるためである。したがって、このような場合には、ＡＣＤブロックの状態情報を優先して参照しなければ、システムの誤動作を防止できない。
【０１２７】
また、もし、ＡＣＤブロックの状態情報を含んでいるＤＤＳの再生中にエラー訂正の失敗等によって、ＤＤＳ内にあるＡＣＤブロックの状態情報を信頼できない場合には、ＡＣＡのＡＣＤのＡＣＤ＿ＩＤを参照して、ＡＣＤブロックの有効性如何を判断することが望ましい。
【０１２８】
図１６は、本発明の第２実施形態による再初期化方法の過程を示すフローチャートである。まず、ドライブシステムに既に使われたディスク１００がローディングされる（１６１０）。既に使われたディスク１００がドライブシステムにローディングされれば、システム制御器１０は、ディスク１００上のＤＭＡ情報を認識し、また、ＡＣＡにアクセスして、このシステム制御器１０が既知の機能と未知の機能とについて、このドライブシステムが動作せねばならない行為を規定した情報、すなわち、ＡＣＤを認識する。
【０１２９】
次いで、ドライブシステムのシステム制御器１０は、ホストＩ／Ｆ  ２０を通じてホスト３からディスク再初期化命令を受信する（１６２０）。
【０１３０】
それにより、まず、システム制御器１０は、ディスク１００のリードイン領域に設けられたＤＭＡとＡＣＡとに入っている情報を再生するように、記録／再生部２を制御して、この情報を受信する（１６３０）。ここで言及するＤＭＡに入っている情報は、記録防止フラッグ情報となり、ＡＣＡに入っている情報は、ＡＣＤの共通情報のうち、記録やフォーマット許容に関連した情報を称す。
【０１３１】
次いで、システム制御器１０は、このような情報がディスクの再初期化を許容するか否かを判断する（１６４０）。すなわち、ＤＭＡには、記録防止フラッグが設定されるが、このような記録防止フラッグが“１”と設定されていれば、このディスクには記録できないので、再初期化を行えなくなる。ＡＣＡに記録されるＡＣＤの共通情報には、フォーマット可能如何の情報及びディスクの細部領域についての記録／再生可能如何の情報が含まれている。このような情報がディスクのフォーマットを許容しないか、または各細部領域に記録を許容しない場合には、再初期化を行えなくなる。したがって、システム制御器１０は、まず、このような情報を判断して、このディスクに記録が可能であるか否かを判断せねばならない。
【０１３２】
システム制御器１０の判断結果、記録防止フラッグが“１”と設定されているか、またはＡＣＤのうち共通情報がフォーマットを許容しないか、または各細部領域に記録を許容しないように設定された場合に、システム制御器１０は、ディスク再初期化を行えないと決定し、ホストＩ／Ｆ  ２０を通じてホスト３にエラーメッセージを伝送する（１６８０）。
【０１３３】
しかし、システム制御器１０の判断結果、記録防止フラッグが“１”と設定されておらず、ＡＣＤのうち共通情報がフォーマットを許容し、各細部領域に記録を許容するように設定された場合に、システム制御器１０は、ディスク再初期化を行うと決定し、ディスク再初期化を開始する。
【０１３４】
一方、もし、ＡＣＤのうち、ドライブシステムが認識可能な機能についてのＡＣＤに設定された値は、再初期化を許容せず、認識不能な機能についてのＡＣＤの設定された値は、再初期化を許容する値に設定されていれば、認識可能な機能については、ＡＣＤに設定された値を変更してアップデートできるので、ユーザが再初期化を所望する場合には、認識可能な機能についてのＡＣＤに設定された値を再初期化が可能な値に変更した後、ディスク再初期化を行うと決定することが可能である。
【０１３５】
システム制御器１０は、ディスク１００のデータ領域内でスペア領域を割当ててサイズを決定し、データ領域のうち、ユーザデータが記録されるＵＤＡを割当ててＵＤＡの開始アドレスと終了アドレスとを決定する（１６５０）。
【０１３６】
次いで、システム制御器１０は、ディスク１００のリードイン領域にあるＡＣＡをクリアするように記録／再生部２を制御し、ＡＣＤブロック状態情報をアップデートする（１６６０）。すなわち、システム制御器１０は、ＡＣＡのクリア時にＡＣＤブロックが欠陥状態である場合にのみそのままにし、残りのＡＣＤブロック及び未記録の残りの領域のＡＣＤブロックが使用可能な状態であることを表示するために、ＡＣＤブロック全体を“００ｈ”または“ＦＦｈ”で充填するか、またはＡＣＤ＿ＩＤのみを“００ｈ”または“ＦＦｈ”に変更して記録する。そして、このように変更されたＡＣＤブロック状態を反映するために、図１４Ａないし図１５Ｂを参照して前述したように、ＡＣＤブロックの状態情報もアップデートする。
【０１３７】
次いで、システム制御器１０は、ディスク１００のリードイン領域にあるＤＭＡをクリアした後、前記スペア領域の再設定情報、すなわち、スペア領域の割当て情報とＵＤＡの割当て情報及び前記アップデートされたＡＣＤブロック状態情報を含むＤＤＳと、初期欠陥リストの初期ＤＦＬとを記録するように、ＤＭＡに記録／再生部２及びサーボ５０を制御する（１６７０）。ここで、ＤＭＡをクリアし、初期化情報を記録すると説明したが、このディスクが再記録可能なディスクであるので、実際には、ＤＭＡに記録される初期化情報をアップデートする方式となる。図１６には、このとき、ＵＤＡの所定位置に記録されてＵＤＡに記録されたデータを管理するためのファイルシステムデータ（図示せず）もクリアされねばならない。
【０１３８】
以下では、デフォルトＡＣＤを説明する。
【０１３９】
ＡＣＤは、ドライブシステムが支援しているか（すなわち、認識可能な機能であるか）、あるいは支援していないか（すなわち、認識不能な機能であるか）によって、認識可能なＡＣＤと認識不能なＡＣＤとに分けられる。前記認識可能なＡＣＤは、デフォルトＡＣＤを含むが、このようなデフォルトＡＣＤは、ＡＣＤを支援する全てのドライブシステムで支援せねばならない、いわば、Ｄｅｆａｕｌｔ  ＡＣＤを表す。このようなデフォルトＡＣＤは、ディスクの初期化時または再初期化時に、ＡＣＡに記録して有用に使用できる。
【０１４０】
図１７は、本発明によるデフォルトＡＣＤの構造を示す。ＡＣＡの一部にデフォルトＡＣＤ  １７００が記録される。デフォルトＡＣＤ  １７００は、その性格において、デフォルト性格を有し、その形式的な構造は、一般的なＡＣＤと同じである。デフォルトＡＣＤ  １７００は、共通情報１７１０と、個別情報１７２０とを含む。
【０１４１】
共通情報のＡＣＤ＿ＩＤ  １７１１は、デフォルトＡＣＤであることを表すために“ＤＥＦＡＵＬＴ”と記録され、残りのフォーマット可能如何の情報１７１２、ＤＭＡ記録／再生可能如何の情報１７１３、スペア領域記録／再生可能如何の情報１７１４、ＵＤＡ記録／再生可能如何の情報１７１５は、何れも“０”と設定されて、ディスクに設けられた細部領域を何れも自由に使用できるように設定される。
【０１４２】
個別情報１７２０には、初期化または再初期化時、ユーザまたはドライブシステムの意図による個別情報が記録され、例えば、ドライブＩＤ情報と記録日付け情報とが記録されうる。ドライブＩＤ情報は、ドライブシステムによって提供され、記録日付け情報は、ホストから提供されうるが、このように記録日付け情報とドライブＩＤ情報とをデフォルトＡＣＤの個別情報に入れることによって、初期化がどんなドライブでなされたのか、初期化がいつ行われたのかが容易に分かる。しかし、個別情報１７２０には、ユーザまたはドライブシステムの意図によって、その外の情報が含まれることもある。
【０１４３】
図１８は、本発明の第３実施形態によって再記録媒体の初期化方法の過程を示すフローチャートである。空ディスクがドライブシステムにローディングされ（１８１０）、ユーザの初期化要求によって、ドライブシステムは、ホストからディスク初期化命令を受信する（１８２０）。
【０１４４】
初期化命令を受けたドライブは、ＡＣＤ領域にデフォルトＡＣＤを記録する（１８３０）。このとき、前記デフォルトＡＣＤについての記録は、ドライブシステムのシステム制御器で自体的に進めるか、またはホストがデフォルトＡＣＤに設定される情報を提供して記録命令によってなされ、または前記２つを並行してなされうる。このとき、デフォルトＡＣＤ内の共通情報内の情報は、ディスクを使用できるように、特定領域についての再生／記録可能如何の情報は、何れも“０”と設定して、再生／記録可能であることを表すようにすることが望ましい。また、デフォルトＡＣＤの個別情報には、ディスク初期化時、ユーザの意図によってまたはドライブシステムの意図によって適切な値が設定される。
【０１４５】
次いで、データ領域に、欠陥管理時、欠陥ブロックに替わるためのスペア領域を割当て（１８４０）、それによるＵＤＡの開始アドレスと終了アドレスとを決定し（１８５０）、スペア領域の割当て情報、ＵＤＡのサイズ情報、デフォルトＡＣＤの記録後、それによるそれぞれのＡＣＤブロックについての状態情報を込めたＤＤＳと初期ＤＦＬとをＤＭＡに記録する（１８６０）。ＡＣＤ領域には、デフォルトＡＣＤのみが入っているので、ＡＣＤブロックの状態情報には、このようなデフォルトＡＣＤブロックについては、有効なＡＣＤが入っていることを表す状態情報、残りのＡＣＤブロックについては、使用可能なブロックであることを表す状態情報が記録されうる。
【０１４６】
そして、ＵＤＡに記録されるデータについての管理情報のために、初期ファイルシステム情報をホストの記録命令によってＵＤＡに記録する（１８７０）。実際に、ステップ１８７０は、前ステップのどのステップで行われても関係ない。
【０１４７】
図１９は、本発明の第３実施形態による再記録媒体の再初期化方法の過程を示すフローチャートである。まず、ドライブシステムに既に使われたディスク１００がローディングされ（１９１０）、ドライブシステムのシステム制御器１０は、ホストＩ／Ｆ  ２０を通じてホスト３からディスク再初期化命令を受信する（１９２０）。
【０１４８】
それにより、まず、システム制御器１０は、ディスク１００のリードイン領域に設けられたＤＭＡとＡＣＡとに入っている情報を再生するように記録／再生部２を制御してこの情報を受信し（１９３０）、このような情報がディスクの再初期化を許容するか否かを判断する（１９４０）。
【０１４９】
システム制御器１０の判断結果、再初期化を許容しない場合には、ホストＩ／Ｆ  ２０を通じてホスト３にエラーメッセージを伝送する（１９８０）。
【０１５０】
しかし、システム制御器１０の判断結果、再初期化が許容された場合に、システム制御器１０は、ディスク１００のデータ領域内でスペア領域を割当ててサイズを決定し、データ領域のうち、ユーザデータが記録されるＵＤＡを割当ててＵＤＡの開始アドレスと終了アドレスとを決定する（１９５０）。
【０１５１】
次いで、システム制御器１０は、ディスク１００のリードイン領域にあるＡＣＡをクリアするように記録／再生部２を制御し、デフォルトＡＣＤを記録するか、または初期化時に記録されたデフォルトＡＣＤの位置に新たなデフォルトＡＣＤをオーバーライトする（１９６０）。このとき、システム制御器１０は、デフォルトＡＣＤを記録する前にＡＣＡのＡＣＤブロックを何れもクリアすることもあり、クリアしないこともある。クリアしない場合に、再初期化前ディスクは、初期化時、デフォルトＡＣＤが記録されて、ディスク使用中にユーザの意図によってその値が設定されているので、再初期化時、前記再初期化前デフォルトＡＣＤが記録された位置に再初期化しようとするユーザの意図によって値を設定して、オーバーライトすることも可能である。このとき、デフォルトＡＣＤ内の共通情報にある情報は、ディスクを使用できるように、特定領域についての再生／記録可能如何の情報は、何れも“０”と設定して再生／記録可能であることを表すようにすることが望ましい。そして、デフォルトＡＣＤ内の個別情報には、ディスク初期化時、ユーザの意図によって、そしてドライブシステムの意図によって適切な値が設定されうる。
【０１５２】
次いで、システム制御器１０は、ディスク１００のリードイン領域にあるＤＭＡをクリアした後、前記スペア領域の割当て情報、ＵＤＡのサイズ情報及びアップデートされたＡＣＤブロックの状態情報を含むＤＤＳと、初期欠陥リストの初期ＤＦＬとを記録するようにＤＭＡに記録／再生部２及びサーボ５０を制御する（１９７０）。
【０１５３】
そして、システム制御器１０は、ＵＤＡに記録されているデータについての管理情報を再初期化するために記録されているファイルシステムが、ホストの記録命令によって再初期化されてＵＤＡに記録するように制御する（１９９０）。
【０１５４】
図２０は、本発明が適用される１回記録媒体のディスク構造図である。１回記録媒体２００は、リードイン領域２１０と、データ領域２２０と、リードアウト領域２３０と、を含み、リードイン領域２１０は、あらかじめ記録された領域２１１、テスト領域２１２、ＡＣＡ  ２１３、ＤＭＡ＃１  ２１５、ＤＭＡ＃２  ２１４、ＴＤＭＡ  ２１６を含み、データ領域２２０は、スペア領域＃０  ２２１、ＵＤＡ  ２２２、スペア領域＃１  ２２３を含み、リードアウト領域２３０は、ＤＭＡ＃３  ２３１、ＤＭＡ＃４  ２３２を含む。
【０１５５】
図２０に示された１回記録媒体の構造は、図３に示された再記録媒体とほとんどその構造が類似しており、但し、１回記録媒体２００の場合には、臨時ＤＭＡ（ＴＤＭＡ：Ｔｅｍｐｏｒａｒｙ  ＤＭＡ）２１６をさらに含むことが分かる。
【０１５６】
ＴＤＭＡ  ２１６には、臨時ＤＤＳ（Ｔｅｍｐｏｒａｒｙ  ＤＤＳ：ＴＤＤＳ）と臨時欠陥リスト（Ｔｅｍｐｏｒａｒｙ  ＤＦＬ：ＴＤＦＬ）及び記録管理データ（Ｒｅｃｏｒｄｉｎｇ  Ｍａｎａｇｅｍｅｎｔ  Ｄａｔａ：ＲＭＤ）が記録されるが、ディスクの初期化時には、図２０に示されたように、スペア領域の割当て情報、ＵＤＡのサイズ情報、ＡＣＤブロックの状態情報を込めた初期ＴＤＤＳ  ２１７、欠陥管理の初期情報を有している初期ＴＤＦＬ  ２１８、記録管理の初期化情報を含んでいる初期ＲＭＤ  ２１９を含む。
【０１５７】
図２１は、本発明の第３実施形態による１回記録媒体の初期化方法の過程を示すフローチャートである。１回記録媒体の空ディスクがドライブシステムにローディングされ（２１１０）、ユーザの初期化要求によって、ドライブシステムは、ホストからディスク初期化命令を受信する（２１２０）。
【０１５８】
初期化命令を受けたドライブは、ＡＣＤ領域にデフォルトＡＣＤを記録する（２１３０）。このとき、前記デフォルトＡＣＤについての記録は、ドライブシステムのシステム制御器で自体的に進めるか、またはホストがデフォルトＡＣＤに設定される情報を提供して記録命令によってなされ、または前記２つが並行してなされうる。このとき、デフォルトＡＣＤ内の共通情報内の情報は、ディスクを使用できるように特定領域についての再生／記録可能如何の情報は、何れも“０”と設定して再生／記録可能であることを表すようにすることが望ましい。また、デフォルトＡＣＤの個別情報には、ディスク初期化時、ユーザの意図によってまたはドライブシステムの意図によって適切な値が設定される。
【０１５９】
次いで、データ領域に、欠陥管理時、欠陥ブロックに替わるためのスペア領域を割当て（２１４０）、それによるＵＤＡの開始アドレスと終了アドレスとを決定し（２１５０）、スペア領域の割当て情報、ＵＤＡのサイズ情報、デフォルトＡＣＤの記録後、それによるそれぞれのＡＣＤブロックについての状態情報を込めたＴＤＤＳと初期ＴＤＦＬ、初期ＲＭＤをＴＤＭＡに記録する（２１６０）。ＡＣＤ領域には、デフォルトＡＣＤのみが入っているので、ＡＣＤブロックの状態情報には、このようなデフォルトＡＣＤブロックについては、有効なＡＣＤが入っていることを表す状態情報、残りのＡＣＤブロックについては、使用可能なブロックであることを表す状態情報が記録されうる。
【０１６０】
そして、ＵＤＡに記録されるデータについての管理情報のために、初期ファイルシステム情報をホストの記録命令によってＵＤＡに記録する（２１７０）。実際に、ステップ２１７０は、前ステップのどのステップで行われても関係ない。
【０１６１】
図２２は、本発明の第４実施形態による再記録媒体の再初期化方法の過程を示すフローチャートである。まず、ドライブシステムに既に使われたディスク１００がローディングされ（２２１０）、ドライブシステムのシステム制御器１０は、ホストＩ／Ｆ  ２０を通じてホスト３からディスク再初期化命令を受信する（２２２０）。
【０１６２】
それにより、まず、システム制御器１０は、ディスク１００のリードイン領域に設けられたＤＭＡとＡＣＡとに入っている情報を再生するように記録／再生部２を制御してこの情報を受信し（２２３０）、このような情報がディスクの再初期化を許容するか否かを判断する（２２４０）。
【０１６３】
システム制御器１０の判断結果、再初期化を許容しない場合には、ホストＩ／Ｆ  ２０を通じてホスト３にエラーメッセージを伝送する（２２８０）。
【０１６４】
しかし、システム制御器１０の判断結果、再初期化が許容された場合に、システム制御器１０は、ディスク１００のデータ領域内でスペア領域を割当ててサイズを決定し、データ領域のうち、ユーザデータが記録されるＵＤＡを割当ててＵＤＡの開始アドレスと終了アドレスとを決定する（２２５０）。
【０１６５】
次いで、システム制御器１０は、ＡＣＡの認識不能なＡＣＤブロックには、ホストの命令やドライブ自体的に“００ｈ”または“ＦＦｈ”を記録し、このようなＡＣＤブロックについての状態情報をホストの命令やドライブ自体的に使用できるブロック状態にアップデートする（２２５５）。
【０１６６】
認識不能なＡＣＤは、いわば、ユーザまたはドライブシステムまたはアプリケーションが知らない機能であるため、その細部内容が分からない。したがって、再初期化時、このような未知の機能についてのＡＣＤを削除しない場合、ディスクを再初期化して使用しようとするユーザにディスク使用上の不便さをもたらすことがある。例えば、“再生禁止”機能についてのＡＣＤがディスク上に記録されており、このような再生禁止機能を知らないドライブシステムとアプリケーションとによって前記ディスクが再初期化される場合、前記再生禁止機能についてのＡＣＤを削除しなければ、ディスクの再初期化後、ディスク上にデータを記録した後に再生する時、このディスクは再生禁止されているので、記録されたデータは再生できないので、問題が発生するためである。言い換えれば、このような再生禁止機能は、以前のユーザが設定したものであり、現在のユーザは、それを知らない状況でディスクを使用するため、問題が発生する。これは、所定のＡＣＤを認識するアプリケーションを含むドライブシステムで、前記ＡＣＤが記録されたディスクは、今後前記ＡＣＤの知らないアプリケーションを含むドライブシステムにローディングされた時、前記ＡＣＤを知らずとも、前記ＡＣＤの共通情報に設定された値によってディスクを使用可能にするために、ＡＣＤが設けられたため、元来、認識不能なＡＣＤは、ディスク使用中に修正または削除されないことが望ましい。しかし、再初期化は、新たなユーザによってディスクをはじめから使用するためのディスクの初期化であるので、前述したような認識不能なＡＣＤの機能は、新たなユーザにはしれ以上意味がないためである。
【０１６７】
そして、ＡＣＡの認識可能なＡＣＤブロックは、ユーザの意図によって修正・削除するか、または新たなＡＣＤを追加し、それにより、ＡＣＤブロックの状態情報をアップデートする（２２６０）。すなわち、認識可能ＡＣＤは、いわば、再初期化しようとするユーザまたはドライブシステムまたはかかるＡＣＤを支援しているアプリケーションが知っている機能であるため、ユーザとの特別なインターフェースを通じて、ユーザの意図によって修正・除去するか、または新たなＡＣＤの追加が可能である。そして、このようなＡＣＤの修正、除去、追加によって、ＤＤＳ内の状態情報は、その状況に応じてアップデートされる。このような認識可能なＡＣＤブロックが、第３実施形態で前述されたようなデフォルトＡＣＤを含むこともある。
【０１６８】
次いで、システム制御器１０は、ディスク１００のリードイン領域にあるＤＭＡをクリアした後、前記スペア領域の割当て情報、ＵＤＡのサイズ情報及びアップデートされたＡＣＤブロックの状態情報を含むＤＤＳと、初期欠陥リストの初期ＤＦＬとを記録するようにＤＭＡに記録／再生部２及びサーボ５０を制御する（２２７０）。
【０１６９】
そして、システム制御器１０は、ＵＤＡに記録されているデータについての管理情報を再初期化するために記録されているファイルシステムが、ホストの記録命令によって再初期化されてＵＤＡに記録するように制御する（２２９０）。
【０１７０】
前述したような初期化方法及び再初期化方法は、また、コンピュータ可読記録媒体にコンピュータ可読コードとして具現することが可能である。コンピュータ可読記録媒体は、コンピュータシステムによって読取られるデータが保存される全ての種類の記録装置を含む。コンピュータ可読記録媒体の例としては、ＲＯＭ、ＲＡＭ、ＣＤ−ＲＯＭ、磁気テープ、フロッピー（登録商標）ディスク、光データ保存装置があり、またキャリアウェーブ（例えば、インターネットを通じた伝送）状に具現されるものも含む。また、コンピュータ可読記録媒体は、ネットワークに連結されたコンピュータシステムに分散され、分散方式でコンピュータ可読コードが保存されかつ実行されうる。そして、前記初期化方法及び再初期化方法を具現するための機能的なプログラム、コード及びコードセグメントは、本発明が属する技術分野のプログラマーによって容易に推論されうる。
【０１７１】
以上、本発明について、その望ましい実施形態を中心に説明した。当業者は、本発明が、本発明の本質的な特性から逸脱しない範囲で変形された形態に具現されうることが分かる。したがって、開示された実施形態は、限定的な観点ではなく、説明的な観点で考慮されねばならない。本発明の範囲は、前述した説明ではなく、特許請求の範囲に現れており、それと同等な範囲内にある全ての差異点は、本発明に含まれたと解釈されねばならない。
【産業上の利用可能性】
【０１７２】
本発明は、全ての種類の情報記録媒体、情報記録媒体に／からデータを記録／再生する記録／再生装置に利用可能であり、情報記録に関連した技術分野に効果的に適用可能である。
【図面の簡単な説明】
【０１７３】
【図１】従来の技術によって、異なる規格のディスク間の互換性を説明するための参考図である。
【図２】本発明によって、異なる規格のディスク間の初期化または再初期化互換性を説明するための参考図である。
【図３】本発明による情報記録媒体の構造図である。
【図４】図３に示されたＤＭＡ＃１の細部的な構造図の一例である。
【図５】図３に示されたＡＣＡの細部的な構造図である。
【図６】図２に示されたバージョン１.０ドライブシステムで、初期化または再初期化時にＡＣＡに記録されるＡＣＤの一例である。
【図７】図２に示されたバージョン１.１ドライブシステムで、初期化または再初期化時にＡＣＡに記録されるＡＣＤの一例である。
【図８】図２に示されたバージョン１.２ドライブシステムで、初期化または再初期化時にＡＣＡに記録されるＡＣＤの一例である。
【図９】本発明によって、初期化または再初期化を行う記録／再生装置の概略的なブロック図である。
【図１０】本発明による初期化方法の過程を示すフローチャートである。
【図１１】本発明の第１実施形態による再初期化方法の過程を示すフローチャートである。
【図１２】図３に示されたＤＭＡ＃１の細部的な構造図の他の例である。
【図１３】図１２に示されたＡＣＤ状態情報の例である。
【図１４Ａ】本発明によって、ディスクを再初期化する場合に、ＡＣＤの状態情報のアップデートを説明するための参考図であって、ディスク再初期化前のＡＣＤブロックとＡＣＤ状態情報の例とを示す図である。
【図１４Ｂ】本発明によって、ディスクを再初期化する場合に、ＡＣＤの状態情報のアップデートを説明するための参考図であって、ディスク再初期化前のＡＣＤブロックとＡＣＤ状態情報の例とを示す図である。
【図１５Ａ】本発明によって、ディスクを再初期化する場合に、ＡＣＤの状態情報のアップデートを説明するための参考図であって、ディスク再初期化後のＡＣＤブロックとＡＣＤ状態情報の例とを示す図である。
【図１５Ｂ】本発明によって、ディスクを再初期化する場合に、ＡＣＤの状態情報のアップデートを説明するための参考図であって、ディスク再初期化後のＡＣＤブロックとＡＣＤ状態情報の例とを示す図である。
【図１６】本発明の第２実施形態による再初期化方法の過程を示すフローチャートである。
【図１７】本発明によるデフォルトＡＣＤの構造を示す図である。
【図１８】本発明の第３実施形態によって、再記録媒体の初期化方法の過程を示すフローチャートである。
【図１９】本発明の第３実施形態による再記録媒体の再初期化方法の過程を示すフローチャートである。
【図２０】本発明が適用される１回記録媒体のディスク構造図である。
【図２１】本発明の第３実施形態による１回記録媒体の初期化方法の過程を示すフローチャートである。
【図２２】本発明の第４実施形態による再記録媒体の再初期化方法の過程を示すフローチャートである。
【符号の説明】
【０１７４】
１１３  ＡＣＡ
６１０  ＡＣＤ＃１
６１１  共通情報
６１２  個別情報
６１３  ＡＣＤ＿ＩＤ＝Ａ
６１４  フォーマット可能如何の情報
６１５  ＤＭＡ記録／再生可能如何の情報
６１６  スペア領域記録／再生可能如何の情報
６１７  ＵＤＡ記録／再生可能如何の情報
６２０  ００ｈ
【図１】
0004805602.tif 000002
【図２】
0004805602.tif 000003
【図３】
0004805602.tif 000004
【図４】
0004805602.tif 000005
【図５】
0004805602.tif 000006
【図６】
0004805602.tif 000007
【図７】
0004805602.tif 000008
【図８】
0004805602.tif 000009
【図９】
0004805602.tif 000010
【図１０】
0004805602.tif 000011
【図１１】
0004805602.tif 000012
【図１２】
0004805602.tif 000013
【図１３】
0004805602.tif 000014
【図１４Ａ】
0004805602.tif 000015
【図１４Ｂ】
0004805602.tif 000016
【図１５Ａ】
0004805602.tif 000017
【図１５Ｂ】
0004805602.tif 000018
【図１６】
0004805602.tif 000019
【図１７】
0004805602.tif 000020
【図１８】
0004805602.tif 000021
【図１９】
0004805602.tif 000022
【図２０】
0004805602.tif 000023
【図２１】
0004805602.tif 000024
【図２２】
0004805602.tif 000025